(57)【要約】【課題】  基板が誤挿入されることを防止する。【解決手段】  複数のスロットＡ，Ｂ，Ｃを持つＭａｉｎ基板があり、その基板の複数のスロットに、複数のＳｕｂ基板を挿入し機能を実現するシステムにおいて、挿入されるＳｕｂ基板にＩＤを付け、所定のスロットに所定のＳｕｂ基板が挿入されるという情報を複数のスロットを持つＭａｉｎ基板で保持しておき、そのＩＤを認識しどのスロットにどのＳｕｂ基板が挿入されているかを認識する。【選択図】        図１６
2005332938.tif 000002
【特許請求の範囲】
【請求項１】
複数のスロットを持つ基板があり、その基板の複数のスロットに、複数の基板を挿入し機能を実現するシステムにおいて、挿入される基板にＩＤを付ける手段と、所定のスロットに所定の基板が挿入されるという情報を複数のスロットを持つ基板で保持しておく手段と、そのＩＤを認識しどのスロットにどの基板が挿入されているかを認識する手段とを有することを特徴とする基盤の誤挿入防止方法。
【請求項２】
請求項１において、所定のスロットに所定の基板が挿入されていない場合、基板の動作を停止することを特徴とする基板の誤挿入防止方法。
【請求項３】
請求項１において、所定のスロットに所定の基板が挿入されていない場合、複写機の表示部に、誤って基板が挿入されていることと、どの基板が間違って挿入されているかと、その修正方法を表示することを特徴とする基板の誤挿入防止方法。
【請求項４】
請求項１において、所定のスロットに所定の基板が挿入されていない場合、複写機から音声にて、誤って基板が挿入されていることと、どの基板が間違って挿入されているかと、その修正方法をお知らせすることを特徴とする基板の誤挿入防止方法。
【請求項５】
請求項１において、所定のスロットに所定の基板が挿入されていない場合、複写機から、誤って基板が挿入されていることと、どの基板が間違って挿入されているかと、その修正方法が印刷された用紙が出力されることを特徴とする基板の誤挿入防止方法。
【請求項６】
請求項１において、所定のスロットに所定の基板が挿入されていない場合、ネットワークを介してその情報を外部に通知することを特徴とする基板の誤挿入防止方法。
【請求項７】
請求項１において、所定のスロットに所定の基板が挿入されていない場合、複写機の機能の制限を行うことを特徴とする基盤の誤挿入防止方法。
【発明の詳細な説明】
【技術分野】
【０００１】
複数のスロットを持つ基板があり、その基板に他の複数の基板が挿入されるシステムにおいて、基板の誤挿入によるシステムの誤動作の防止、制限、誤挿入の修正に関する。
【背景技術】
【０００２】
現在、複写機のスキャン・プリント・画像処理の機能を実現する際に、複数のスロットを持つ基板を用いて、そのスロットに様々な機能を実現する基板をさしそれらの機能の実現を行っている（例えば、特許文献１参照。）。
【特許文献１】特開平４−３３３９０９号公報
【発明の開示】
【発明が解決しようとする課題】
【０００３】
しかし、現在の所、複数個あるスロットのどの部分に、何のボードがさされているかを判定する手段が無いため、目視にて所定のスロットに所定のボードが挿入されているかどうか確認する必要がある。また、所定のスロットに所定のボードがさされていない場合、誤動作が生じる場合がある。
【０００４】
本発明に係る目的は、複数のスロットを持つ基板において、スロットにささる基板にＩＤを降っておき、その基板のＩＤを、スロットを持つ基板が認識することで、どのスロットに何の基板がさされているかを判定し、主に複写機において、その判定情報に基づき基板全体の実現する機能の決定、制限が可能な基板の誤挿入防止方法を提供することである。
【課題を解決するための手段】
【０００５】
上記課題を解決するために、本発明は以下（１）〜（７）の構成を備える。
【０００６】
（１）複数のスロットを持つ基板があり、その基板の複数のスロットに、複数の基板を挿入し機能を実現するシステムにおいて、挿入される基板にＩＤを付ける手段と、所定のスロットに所定の基板が挿入されるという情報を複数のスロットを持つ基板で保持しておく手段と、そのＩＤを認識しどのスロットにどの基板が挿入されているかを認識する手段とを有する基盤の誤挿入防止方法。
【０００７】
（２）前記（１）において、所定のスロットに所定の基板が挿入されていない場合、基板の動作を停止する基板の誤挿入防止方法。
【０００８】
（３）前記（１）において、所定のスロットに所定の基板が挿入されていない場合、複写機の表示部に、誤って基板が挿入されていることと、どの基板が間違って挿入されているかと、その修正方法を表示する基板の誤挿入防止方法。
【０００９】
（４）前記（１）において、所定のスロットに所定の基板が挿入されていない場合、複写機から音声にて、誤って基板が挿入されていることと、どの基板が間違って挿入されているかと、その修正方法をお知らせする基板の誤挿入防止方法。
【００１０】
（５）前記（１）において、所定のスロットに所定の基板が挿入されていない場合、複写機から、誤って基板が挿入されていることと、どの基板が間違って挿入されているかと、その修正方法が印刷された用紙が出力される基板の誤挿入防止方法。
【００１１】
（６）前記（１）において、所定のスロットに所定の基板が挿入されていない場合、ネットワークを介してその情報を外部に通知する基板の誤挿入防止方法。
【００１２】
（７）前記（１）において、所定のスロットに所定の基板が挿入されていない場合、複写機の機能の制限を行うことを特徴とする基盤の誤挿入防止方法。
【発明の効果】
【００１３】
本発明によると、これまでは複数の基板を用いたシステムにおいて、基板全体でシステムとして基板の誤挿入を認識する事はしていなかった。そのため、誤挿入防止は目視でチェックを行っていた。又、基板全体で誤動作がおきても、何が原因で誤動作しているのかわからないという問題があった。本発明の基板の誤挿入防止方法では、各基板のＩＤを認識する事により、ユーザに対し様々な通知や機能制限をかけて動作させる事が可能となった。
【発明を実施するための最良の形態】
【００１４】
以下に本発明を実施するための最良の形態を、実施例に基づいて説明する。
【実施例】
【００１５】
＜基板の誤挿入防止方法＞
複数のスロットを持つ基板があり、その基板に他の複数の基板を挿入することで、機能を実現するシステムにおいて、基板の誤挿入防止の方法について説明を行う。
【００１６】
図１３に本発明に記載するＭａｉｎ基板を示す。Ｍａｉｎ基板上には制御ＩＣ、電源ＩＣ、基板が挿入されるスロットがある。制御ＩＣとはＣＰＵ、ＡＳＩＣ、ＲＯＭ、ＲＡＭ等を含み、プログラムにてデータを処理しある一定の機能を有するものである。電源ＩＣは、制御ＩＣやスロットＡ、Ｂ、Ｃを介してＳｕｂ  ＩＣに電源を供給する物である。
【００１７】
Ｍａｉｎ基板上のスロットＡ、Ｂ、Ｃに図１４のようなＳｕｂ基板Ａ、Ｂ、Ｃをそれぞれ挿入する事により、制御ＩＣはＳｕｂ基板に乗っているＳｕｂ  ＩＣと通信を行い所定の機能の実現を行う、所定の機能とは、画像処理、外部Ｉ／Ｆとの通信等である。
【００１８】
Ｍａｉｎ基盤上の制御ＩＣにて、Ｍａｉｎ基板上のどのスロットにどのＳｕｂ基板が挿入されるかどうか記憶しておくこととする。図１５は、Ｍａｉｎ基板とＳｕｂ基板を接続させた状態である。
【００１９】
Ｓｕｂ基板Ａ、Ｂ、Ｃ上には図１６に示すように、メモリデバイスを搭載し、Ｍａｉｎ基板からメモリＩ／Ｆを介してアクセスが出来、Ｓｕｂ基板の情報を入力しておく事ができる。又、Ｐｕｌｌ  ＵＰ、Ｐｕｌｌ  Ｄｏｗｎの抵抗を用い、その抵抗の実装未実装により、Ｍａｉｎ基盤に挿入した際に、そのＰｕｌｌ  ＵＰ  、Ｄｏｗｎの抵抗の値によりＭａｉｎ基板に与える電圧を変化させ、基板の情報をＭａｉｎ基板に知らせることが可能である。また、その他の手段を用いてＳｕｂ基板の情報をＳｕｂ基板に保持させておいても良い。
【００２０】
Ｍａｉｎ基板は、スロットに挿入されるＳｕｂ基板の情報を、Ｓｕｂ基板上に乗っている、メモリに書かれている内容や、Ｐｕｌｌ  Ｕｐ、Ｄｏｗｎの抵抗値の値で定められる電圧値からスロットＡ、Ｂ、Ｃに挿入された基板がどの基板かどうか判定が可能であり、Ｍａｉｎ基板に記憶しているデータとスロットに挿入されているデータを比較し、Ｍａｉｎ基板上に正しくＳｕｂ基板が挿入されているかどうか判定可能である。
【００２１】
図１７のフローチャートを用いて詳細な、判定方法を説明する。
Ｍａｉｎ基板上のスロットＡ、Ｂ、Ｃに、Ｓｕｂ基板Ａ、Ｂ、Ｃが挿入されている場合が正常に基板が挿入されている状態だとする。
【００２２】
ステップ１にて、ますＭａｉｎ基板からＭａｉｎ基板上のスロットＡにさされているＳｕｂ基板のＩＤを読みに行く。ステップ２にてＳｕｂ基板Ａであるか判定を行い、Ｓｕｂ基板Ａであればステップ４へ、Ｓｕｂ基板Ａでなければ、ステップ３にて、スロットＡにどのＳｕｂ基板が挿入されていたか、Ｍａｉｎ基板上のメモリに記憶しておく。
【００２３】
ステップ４、５、６はスロットＢ、ステップ７、８、９はスロットＣに対しての判定となっている。このステップ１〜９までを踏むことにより、スロットＡ、Ｂ、Ｃにさされている基板がどのＳｕｂ基板なのか判定が可能である。
【００２４】
又、図１８のフローチャートを用いて、にＭａｉｎ基板上の所定のスロットに所定のＳｕｂ基板が挿入されていなかった場合の動作の説明を行う。
【００２５】
ステップ１〜９までは図１７と同様である。ステップ１０にてＭａｉｎ基板のメモリにスロットＡ、Ｂ、Ｃにさされた基板の情報があるか無いかの判断を行う。情報があった場合、所定のスロットに所定の基板が挿入されていないため、ステップ１１にて基板の動作を停止する。基板の動作とは、制御ＩＣからＲＯＭ、ＲＡＭ読み出し等の動作を行わない、Ｍａｉｎ基板上に搭載されている電源をＯＦＦにする状態にするという事である。
【００２６】
次に、複写機のシステム概要の説明を行う。
【００２７】
＜複写機システムの概要＞
図１に本発明の実施の複写機にかかわるシステムの概観図を示す。ネットワーク１０１に接続されたコンピュータ１０２はサーバ、コンピュータ１０３ａと１０３ｂはクライアントである。図示されていないがクライアントはこれらのほかにも多数接続されている。以下クライアントを代表して１０３と表記する。
【００２８】
更にネットワーク１０１にはＭＦＰ（Ｍｕｌｔｉ  Ｆｕｎｃｔｉｏｎ  ｐｅｒｉｐｈｅｒａｌ：マルチファンクション周辺機器）１０４ａ、１０４ｂ，１０４ｃ，１０４ｄが接続されている。１０４ａ、１０４ｂ，１０４ｃ，１０４ｄはフルカラーでスキャン、プリント、ＦＡＸ、メール送信などが可能なカラーＭＦＰである。
【００２９】
１０５はネットワーク１０１に接続された１ドラムカラーレーザビームプリンタＬＢＰである。
【００３０】
１０６ａ，１０６ｂは、ネットワーク接続が可能なカラースキャナ、１０７はＦＡＸである。
【００３１】
以上のように、ネットワーク１０１上にはＭＦＰを初め、スキャナ、プリンタあるいは、ＦＡＸなどのその他の機器が多く接続されている。
【００３２】
ここでコンピュータ１０３上では、いわゆるＤＴＰ（Ｄｅｓｋ  Ｔｏｐ  Ｐｕｂｌｉｓｈｉｎｇ：デスクトップパブリッシング）を実行するアプリケーションソフトウェアを動作させ、各種文書／図形が作成／編集される。コンピュータ１０３は作成された文書／図形をＰＤＬ（Ｐａｇｅ  Ｄｅｓｃｒｉｐｔｉｏｎ  Ｌａｎｇｕａｇｅ：ページ記述言語）に変換し、ネットワーク１０１を介してＭＦＰ１０４、ＬＢＰ１０５に送られてプリントアウトされる。
【００３３】
ＭＦＰ１０４、ＬＢＰ１０５はそれぞれ、コンピュータ１０２、１０３とネットワーク１０１を介して情報交換できる通信手段を有しており、ＭＦＰ１０４、ＬＢＰ１０５の情報や状態をコンピュータ１０２、１０３側に逐次知らせる仕組みとなっている。更に、コンピュータ１０２、１０３は、その情報を受けて動作するユーティリティソフトウェアを持っており、ＭＦＰ１０４、ＬＢＰ１０５はコンピュータ１０２、１０３により管理される。
【００３４】
〔ＭＦＰ１０４の構成〕
次に、図２を用いてＭＦＰ１０４の構成について説明する。
【００３５】
ＭＦＰ１０４は、画像読み取りを行うスキャナ部２０１とその画像データを画像処理するＩＰ部２０２、ファクシミリなどに代表される電話回線を利用した画像の送受信を行うＦＡＸ部２０３、更に、ネットワークを利用して画像データや装置情報をやり取りするＮＩＣ（Ｎｅｔｗｏｒｋ  Ｉｎｔｅｒｆａｃｅ  Ｃａｒｄ）部分２０４、コンピュータ１０３から送られてきたページ記述言語（ＰＤＬ）を画像信号に展開するＰＤＬ部２０５を有する。そして、ＭＦＰ１０４の使い方に応じてコア部２０６で画像信号を一時保存したり、経路を決定する。
【００３６】
次に、コア部２０６から出力された画像データは、画像形成を行うプリンタ部２０８に送られる。プリンタ部２０８でプリントアウトされたシートはフィニッシャ部２０９へ送り込まれ、シートの仕分け処理やシートの仕上げ処理が行われる。
【００３７】
また、ディスプレイ部２１０は、画像をプリントせずに画像の内容を確認したり、プリントする前に画像の様子を確認する（プレビュー）ために用いられる。
【００３８】
〔スキャナ部２０１の構成〕
図３を用いてスキャナ部２０１の構成を説明する。３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤ３０８上に結像される。ミラー３０４、照明ランプ３０３を含む第１ミラーユニット３１０はミラー３０４は速度ｖで移動し、ミラー３０５、３０６を含む第２ミラーユニット３１１は速度１／２ｖで移動することにより、原稿３０２の全面を走査する。第１ミラーユニット３１０及び第２ミラーユニット３１１はモータ３０９により駆動される。
【００３９】
このスキャナ部は、ネットワークに接続して各プリンタと接続して指定したプリンタからのプリントアウトを可能にするコントローラ機能を備えたスキャナ部も含む。
【００４０】
〔画像処理部２０２の構成〕
図４を用いてＩＰ部（画像処理部）２０２について説明する。入力された光学的信号は、ＣＣＤセンサ３０８により電気信号に変換される。このＣＣＤセンサ３０８はＲＧＢ３ラインのカラーセンサであり、ＲＧＢそれぞれの画像信号としてＡ／Ｄコンバータ（Ａ／Ｄ変換部）４０１で、各色信号毎に８ｂｉｔのデジタル画像信号ＲＯ，ＧＯ，ＢＯに変換される。その後、４０２のシェーディング補正で色ごとに、基準白色版の読み取り信号を用いた、シェーディング補正が施される。更に、ＣＣＤセンサ３０８の各色ラインセンサは、相互に所定の距離を隔てて配置されているためラインディレイ調整回路（ライン補間部）４０３において、副走査方向の空間的ずれが補正される。
【００４１】
次に、入力マスキング部４０４はＣＣＤセンサ３０８のＲ，Ｇ，Ｂフィルタの分光特性で決まる読取色空間を、ＮＴＳＣの標準色空間に変換する部分であり、ＣＣＤセンサ３０８の感度特性／照明ランプのスペクトル特性等の諸特性を考慮した装置固有の定数を用いた３×３のマトリックス演算を行い、入力された（ＲＯ，ＧＯ，ＢＯ）信号を標準的な（Ｒ，Ｇ，Ｂ）信号に変換する。
【００４２】
更に、輝度／濃度変換部（ＬＯＧ変換部）４０５はルックアップテーブル（ＬＵＴ）ＲＡＭにより、構成され、ＲＧＢの輝度信号がＣ１，Ｍ１，Ｙ１の濃度信号になるように変換される。
【００４３】
４０６は出力マスキング／ＵＣＲ回路図であり、Ｃ１，Ｍ１，Ｙ１信号を画像形成装置のトナー色であるＣ，Ｍ，Ｙ，Ｋ信号に補正して出力する。
【００４４】
次に、ガンマ補正部４０７にて、トナーの色味諸特性を考慮したルックアップテーブル（ＬＵＴ）ＲＡＭを使って画像出力のためのＣ，Ｍ，Ｙ，Ｋデータに変換され、空間フィルタ４０８にて、エッジ強調または、スムージングが施された後、画像信号はコア部２０６へと送られる。
【００４５】
〔ＮＩＣ部２０４の構成〕
図５を用いてＮＩＣ部２０４について説明する。ネットワーク１０１に対してのインターフェイスの機能を持つのが、このＮＩＣ部２０４であり、例えば１０Ｂａｓａ−Ｔ／１００Ｂａｓｅ−ＴＸなどのＥｔｈｅｒｎｅｔ（登録商標）ケーブルなどを利用して外部からの情報を入手したり、外部へ情報を流す役割を果たす。
【００４６】
外部より情報を入手する場合は、まず、トランス部６０１で電圧変換され、６０２のＬＡＮコントローラ部に送られる。ＬＡＮコントローラ部６０２は、その内部に第１バッファメモリ（不図示）を持っており、その情報が必要な情報か否かを判断した上で、第２バッファメモリ（不図示）に送った後、ＰＤＬ部２０５に信号を流す。
【００４７】
次に、外部に情報を提供する場合には、ＰＤＬ部２０５より送られてきたデータは、ＬＡＮコントローラ部６０２で必要な情報を付加して、トランス部６０１を経由してネットワーク１０１に接続される。
【００４８】
〔ＰＤＬ部２０５の構成〕
次に、図５を用いてＰＤＬ部２０５の構成の説明する。コンピュータ１０３上で動作するアプリケーションソフトウェアによって作成された画像データは、文書、図形、写真等から構成されており、それぞれは、文字コード、図形コード及び、ラスタ画像データなどによる画像記述の要素の組み合わせから成っている。これが、いわゆるＰＤＬ（Ｐａｇｅ  Ｄｅｓｃｒｉｐｔｉｏｎ  Ｌａｎｇｕａｇｅ：ページ記述言語）であり、Ａｄｏｂｅ社のＰｏｓｔＳｃｒｉｐｔ（登録商標）言語に代表されるものである。
【００４９】
ＰＤＬ部２０５では、上記ＰＤＬデータからラスタ画像データへの変換処理を行う。まずＮＩＣ部２０４から送られてきたＰＤＬデータは、ＣＰＵ部６０３を経由して一度ハードディスク（ＨＤＤ）のような大容量メモリ６０４に格納され、ここで各ジョブ毎に管理、保存される。次に、必要に応じて、ＣＰＵ部６０３は、ＲＩＰ（Ｒａｓｔｅｒ  Ｉｍａｇｅ  Ｐｒｏｃｅｓｓｉｎｇ）と呼ばれるラスタ化画像処理を行って、ＰＤＬデータをラスタイメージに展開する。展開されたラスタイメージデータは、ＣＭＹＫの色成分毎ＤＲＡＭなどの高速アクセス可能なメモリ６０５にジョブ毎にページ単位で格納され、プリンタ部２０８の状況に合わせて、再びＣＰＵ部６０３を介して、コア部２０６へ送られる。
【００５０】
リーダ部で読み取られＣＭＹＫデータに変換された画像信号を、プリンタ部へすぐに送ることができない場合、ここのメモリ６０４に一旦記憶されるよう、コア部２０６で制御される。
【００５１】
〔コア部２０６の構成〕
図６を用いてコア部２０６について説明する。コア部２０６のバスセレクタ部７０１は、ＭＦＰ１０４、ＬＢＰ１０５の利用における、いわば交通整理の役割を担っている。すなわち、複写機能、ネットワークスキャン、ネットワークプリンタ、ファクシミリ送信／受信、あるいは、ディスプレイ表示などＭＦＰ１０４、ＬＢＰ１０５における各種機能に応じてバスの切り替えを行うところである。
【００５２】
以下に各機能を実行するためのバスの切り替えのパターンを示す。
・複写機能：スキャナ２０１→コア２０６→プリンタ２０８
・ネットワークスキャン：スキャナ２０１→コア２０６→ＮＩＣ部２０４
・ネットワークプリンタ：ＮＩＣ部２０４→コア２０６→プリンタ２０８
・ファクシミリ送信機能：スキャナ２０１→コア２０６→ＦＡＸ部２０３
・ファクシミリ受信機能：ＦＡＸ部２０３→コア２０６→プリンタ２０８
・ディスプレイ表示機能：スキャナ２０１又はＦＡＸ部２０３又はＮＩＣ部２０４→コア２０６→ディスプレイ２１０
【００５３】
次に、バスセレクタ部７０１を出た画像データは、圧縮部７０２、ハードディスク（ＨＤＤ）などの大容量メモリからなるメモリ部７０３及び、伸張部７０４を介してプリンタ部２０８（ＰＷＭ部２０７）又はディスプレイ部２１０へ送られる。圧縮部７０２で用いられる圧縮方式は、ＪＰＥＧ、ＪＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００５４】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするたの機能である。記憶されているジョブのプリントアウトの指示が行われた場合には、パスワードによる認証を行った後にメモリ部７０３より呼び出し、画像伸張を行ってラスタイメージに戻してプリンタ部２０８に送ることもできる。
【００５５】
〔ＰＷＭ部２０７の構成〕
図７によりＰＷＭ部２０７の説明をする。コア部２０６を出たイエロー（Ｙ）、マゼンダ（Ｍ）、シアン（Ｃ）、ブラック（Ｋ）の４色に色分解された多値画像データは、それぞれのＰＷＭ部２０７を通ってそれぞれ画像形成される。８０１は三角波発生部、８０２は入力されるデジタル画像信号をアナログ信号に変換するＤ／Ａコンバータ（Ｄ／Ａ変換部）である。三角波発生部８０１からの信号（図７（２）のａ）及びＤ／Ａコンバータ８０２からの信号（図８（２）のｂ）は、コンパレータ８０３で大小比較されて、図８（２）のｃのような信号となってレーザ駆動部８０４に送られ、ＣＭＹＫそれぞれが、ＣＭＹＫそれぞれのレーザ発振器８０５でレーザビームに変換される。
【００５６】
そして、ポリゴンスキャナ９１３で、それぞれのレーザビームを走査して、それぞれの感光ドラム９１７、９２１、９２５、９２９に照射される。
【００５７】
〔ＭＦＰ１０４のプリンタ部２０８の構成〕
図８に、４ドラムタイプカラープリンタ部の概要図を示す。９１３は、ポリゴンミラーであり、４つの半導体レーザ発振器８０５より発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本は９２２、９２３、９２４をへて感光ドラム９２５を走査し、次の１本はミラー９２６、９２７、９２８をへて感光ドラム９２９を走査する。
【００５８】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にブラックのトナー像を形成する。以上４色（Ｙ，Ｍ，Ｃ，Ｋ）のトナー像がシートに転写され、フルカラーの出力画像を得ることができる。
【００５９】
シートカセット９３４、９３５および、手差しトレイ９３６のいずれかより供給されたシートは、レジストローラ９３７をへて、転写ベルト９３８上に吸着され、搬送される。給紙のタイミングと同期がとられて、予め感光ドラム９１７、９２１、９２５、９２９には各色のトナーが現像されており、シートの搬送とともに、トナーがシートに転写される。各色のトナーが転写されたシートは、分離され、搬送ベルト９３９により搬送され、定着器９４０によって、トナーがシートに定着される。定着器９４０を抜けたシートはフラッパ９５０によりいったん下方向へ導かれてシートの後端がフラッパ９５０を抜けた後、スイッチバックさせて排出する。これによりフェイスダウン状態で排出され、先頭頁から順にプリントしたときに正しい順となる。
【００６０】
なお、４つの感光ドラム９１７、９２１、９２５、９２９は、距離ｄをおいて、等間隔に配置されており、搬送ベルト９３９により、シートは一定速度ｖで搬送されており、このタイミング同期がなされて、４つの半導体レーザ８０５は駆動される。
【００６１】
〔ディスプレイ部２１０の構成〕
図１０に、ディスプレイ部２１０を示す。コア部２０６より出力された画像信号は、ＣＭＹＫデータであるため、逆ＬＯＧ変換部１００１でＲＧＢデータに変換する必要がある。次に、出力されるＣＲＴなどのディスプレイ装置１００４の色の特性に合わせるためにガンマ変換部１００２でルックアップテーブルを使用して出力変換を行う。変換された画像データは、一度メモリ部１００３に格納されて、ＣＲＴなどのディスプレイ装置１００４によって表示させる。
【００６２】
ここで、ディスプレイ部２１０を使用するのは、出力画像を予め確認するプレビュー機能や出力する画像が意図したものと間違いないか検証するプルーフ機能、あるいは、プリントの必要がないかを確認するな場合にプリントシートの無駄を省く為である。
【００６３】
〔フィニッシャ部２０９の構成〕
図１１に、フィニッシャ部の概観図を示す。プリンタ部２０８の定着部９４０（または、９７９）を出たシートは、フィニッシャ部２０９に入る。フィニッシャ部２０９には、サンプルトレイ１１０１とスタックトレイ１１０２があり、ジョブの種類や排出されるシートの枚数に応じて切り替えて排出される。
【００６４】
ソート方式には２通りあり、複数のビンを有して各ビンに振り分けるビンソート方式と、後述の電子ソート機能とビン（または、トレイ）を奥／手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００６５】
更に、スタックトレイ１１０２に排出する場合には、シートが排出される前のシートをジョブ毎に蓄えておき、排出する直前にステープラ１１０５にてバインドすることも可能である。このほか、上記２つのトレイに至るまでに、紙をＺ字状に折るためのＺ折り器１１０４、ファイル用の２つの（または３つ）の穴開けを行うパンチャ１１０６があり、ジョブの種類に応じてそれぞれの処理を行う。
【００６６】
更に、サドルステッチャ１１０７は、シートの中央部分を２ヶ所バインドした後に、シートの中央部分をローラにかませることによりシートを半折にし、週刊誌やパンフレットのようなブックレットを作成する処理を行う。サドルステッチャ１１０７で作成されたシートは、ブックレットトレイ１１０８に排出される。
【００６７】
そのほか、図には記載されていないが、製本のためのグルー（糊付け）によるバインドや、あるいは、バインド後にバインド側と反対側の端面を揃えるためのカッティングなどを加えることも可能である。
【００６８】
また、インサータ１１０３はトレイ１１１０にセットされたシートをプリンタを通さずにトレイ１１０１、１１０２、１１０８のいずれかに送るためのものである。これによってフィニッシャ２０９に送り込まれるシートとシートの間にインサータ１１０３にセットされたシートをインサート（中差し）することができる。インサータ１１０３のトレイ１１１０にはユーザによりフェイスアップの状態でセットされるものとし、ピックアップローラ１１１１により最上部のシートから順に給送する。従って、インサータ１１０３からのシートはそのままトレイ１１０１、１１０２へ排出することによりフェイスダウン状態で排出される。サドルステッチャ１１０７へ送るときには、一度パンチャ１１０６側へ送り込んだ後スイッチバックさせて送り込むことによりフェースの向きを合わせる。
【００６９】
〔ネットワークユーティリティソフトウェアの説明〕
コンピュータ１０２、１０３上にて動作するユーユーティリティソフトウェアについて説明する。ＭＦＰ１０４、ＬＢＰ１０５内のネットワークインターフェース部分（ＮＩＰ部２０４＋ＰＤＬ部２０５）にはＭＩＢ（Ｍａｎａｇｅｍｅｎｔ  Ｉｎｆｏｒｍａｔｉｏｎ  Ｂａｓｅ）と呼ばれる標準化されたデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）というネットワーク管理プロトコルを介してネットワーク上のコンピュータと通信し、ＭＦＰ１０４、ＬＢＰ１０５をはじめとして、ネットワーク上につながれたスキャナ、プリンタあるいは、ＦＡＸなどの管理が可能になっている。
【００７０】
一方、コンピュータ１０２、１０３上ではユーティリティと呼ばれるソフトウェアプログラムが動作しており、ネットワークを介して上記ＳＮＭＰの利用によりＭＩＢを使って必要な情報交換が可能となる。
【００７１】
例えば、ＭＦＰ１０４、ＬＢＰ１０５の装備情報をとしてフィニッシャ２０９が接続されているか否かを探知したり、ステータス情報をして現在プリントが出きるか否かを探知したり、あるいは、ＭＦＰ１０４、ＬＢＰ１０５の名前や設置場所などを記入したり変更したり確認したりといった具合に、ＭＩＢを使うことによりユーザはネットワークに接続されたＭＦＰ１０４、ＬＢＰ１０５の情報をコンピュータ１０２、１０３上で確認することができる。また、これらの情報はサーバ１０２とクライアント１０３を区別してリードライトに制限を持たせることも可能である。
【００７２】
従って、この機能を使うことにより、ＭＦＰ１０４、ＬＢＰ１０５の装備情報、装置の状態、ネットワークの設定、ジョブの経緯、使用状況の管理、制御などあらゆる情報をユーザはコンピュータ１０３、１０２の前で入手することが可能となる。
【００７３】
〔ＬＢＰ１０５の構成〕
次に、図１２を用いてＬＢＰ１０５の構成について説明する。
【００７４】
ＬＢＰ１０５は、ネットワークを利用して画像データや装置情報をやり取りするＮＩＣ（Ｎｅｔｗｏｒｋ  Ｉｎｔｅｒｆａｃｅ  Ｃａｒｄ：ネットワークインターフェイスカード）部分２０４、コンピュータ１０３から送られてきたページ記述言語（ＰＤＬ）を画像信号に展開するＰＤＬ部２０５を有する。
【００７５】
ＮＩＣ部、ＰＤＬ部、ＰＷＭ部の構成はＭＦＰ１０４と同様である。
【００７６】
図１２に、１ドラムタイプカラープリンタ部の概要図を示す。
【００７７】
９１３は、ポリゴンミラーであり、の半導体レーザ８０５より発光された１本のレーザ光を受け、ミラー９１４をへて感光ドラム９１７を走査して、感光体上に潜像を形成する。感光体上の潜像は反時計回りに回転しながら、９６１の色現像器や９６０の黒現像器に到達する。９６１、９６０の現像器は感光体上に潜像として帯電された電荷に応じてトナーをのせる（現像させる）働きをする。画像が白黒の時は、９６０の現像器のみが使用され、カラーの時は、９６１と９６０の両方の現像器が使用される。次に、感光体９１７に生成された画像は、時計回りに回転している中間転写体９６２に転写される。この中間転写体は、白黒の場合は１回転、カラーの場合は４回転して画像生成を中間転写体上に完了する。
【００７８】
色現像器９６１は回転することでイエロー現像器９６１ｙ、マゼンタ現像器９６１ｍ、シアン現像器９６１ｃのいずれかを感光ドラム９１７に接するように制御される。まず、イエロートナーを現像・転写するときは色現像器が図１０に示す位置にまるまで回転し、感光ドラム９１７にレーザ露光が行われると同期してドラムが時計方向へ回転し、イエロー現像器９６１ｙによってドラム上にイエローのトナー画像が形成される。これと同期して転写ドラム９６２が半時計回りへ回転し、感光ドラムからイエロートナーが転写される。転写ドラムの周囲の長さはＡ３サイズ画像が長手方向に形成できるものである。Ａ３サイズの画像形成を行う場合は、Ａ３サイズの原稿を読み取って、その画像信号によって、Ａ３サイズ画像１面分のイエロートナー画像が転写ドラム上に形成される。
【００７９】
次にマゼンタトナーを現像・転写するときは色現像器が半時計方向へ１２０度回転した後、前記と同様に原稿を読み取って、その画像信号によって、ドラム９１７にレーザ露光が行われると同期してドラムが時計方向へ回転し、マゼンタの現像器９６１ｍによってドラム上にマゼンタのトナー画像が形成される。これと同期して転写ドラムが半時計回りへ回転し、感光ドラムからマゼンタトナーが転写される。
【００８０】
次に同様にシアントナー画像が転写される。次にブラックトナー画像が現像器９６０によって感光ドラム９１７に形成され、同様に転写される。
【００８１】
一方で、９７０の上段カセット、あるいは９７１の下段カセットから９７２あるいは９７３のピックアップローラで給紙された記録紙が、９７４あるいは９７５の給紙ローラに従って搬送され、９７６の搬送ローラで更にレジ前まで搬送されていく。
【００８２】
そして、前述した中間転写体９１７への画像形成が終了するタイミングで中間転写体と９７８の転写ベルトの間にくるようなタイミングに制御されている。ここに記録紙が到達したところで、転写ベルトが中間転写体に接して、トナーが記録紙に転写される。記録紙に転写された画像は、９７９の定着ローラで、熱と加圧により記録紙に定着される。
【００８３】
画像が定着された記録紙は、プリンタコントローラによりあらかじめ指定されていた９８０で示すフェイスアップ排紙口か９８１で示すフェイスダウン排紙口のいずれかに搬送され、排紙される。以上で、プリンタコントローラから送られてきた画像情報を出力することができる。
【００８４】
＜基板の誤挿入防止方法と複写機システム＞
図１９のフローチャートを用いて、基板の誤挿入防止と複写機システムの関係を述べる。
【００８５】
ステップ１〜１０までのステップは図１８を用いた基板の動作の停止と同様である。ステップ１２では、複写機の機能を用いてユーザに誤挿入をしている事の通知と、基板を正常な状態に戻す通知を行う。複写機の機能とは、前述したディスプレイ部や、音声や、修正方法のプリントアウトである。
【００８６】
修正方法の指示の例を図２０に示す。もし、Ｓｕｂ基板ＢがスロットＣへ、Ｓｕｂ基板ＣがスロットＢへさされていたとする。そのような場合、スロットＢとスロットＣに挿入されている基板を入れ替えれば正常な状態にする事が出来るため、“スロットＢとスロットＣの基板を入れ替えて下さい”と通知を行えばよい。又、ネットワークを介して外部のコンピュータと通信を行い、基板が誤挿入されていることを通知しても良い。
【００８７】
又、基板の誤挿入がわかった場合には、Ｓｕｂ基板Ｂ、Ｓｕｂ基板Ｃが誤ったスロットにさされていた場合、正常にＭａｉｎ基板のスロットに挿入されているＳｕｂ基板の機能は使用し、誤って挿入されている、Ｓｕｂ基板Ｂ、Ｃの機能は未使用とする構成にしても良い。
【図面の簡単な説明】
【００８８】
【図１】本発明の実施形態のシステム全体を示す図である。
【図２】画像形成装置全体のブロック図である。
【図３】画像形成装置のスキャナ部を示す図である。
【図４】画像形成装置のＩＰ部のブロック図である。
【図５】画像形成装置のＮＩＣ／ＰＤＬ部のブロック図である。
【図６】画像形成装置のコア部のブロック図である。
【図７】画像形成装置のＰＷＭ部のブロック図である。
【図８】４ドラムカラー画像形成装置のプリンタ部を示す図である。
【図９】プリンタ装置のブロック図である。
【図１０】ディスプレイ部のブロック図である。
【図１１】フィニッシャ部を示す図である。
【図１２】１ドラム画像形成装置を示す図である。
【図１３】本発明のＭａｉｎ基板を示す図である。
【図１４】本発明のＳｕｂＭａｉｎ基板を示す図である。
【図１５】本発明のＭａｉｎ基板、Ｓｕｂ基板を接続した図である。
【図１６】本発明のＳｕｂ基板の基板ＩＤの保持方法を示した図である。
【図１７】本発明の基板認識方法を示したフローチャートである。
【図１８】本発明の基板認識方法による動作の変更を示したフローチャートである。
【図１９】本発明の基板認識方法による動作の変更を示したフローチャートである。
【図２０】本発明の誤挿入からの復帰を示した図である。
【符号の説明】
【００８９】
１０１  ネットワーク
１０２  コンピュータ（サーバ）
１０３  コンピュータ（クライアント）
１０４  マルチファンクション周辺機器（ＭＦＰ）
１０５  カラーレーザビームプリンタ（ＬＢＰ）
１０６ａ、１０６ｂ  カラースキャナ
１０７  ＦＡＸ
２０１  スキャナ部
２０２  ＩＰ部
２０３  ＦＡＸ部
２０４  ＮＩＣ部
２０５  ＰＤＬ部
２０６  コア部
２０７  ＰＷＭ部
２０８  プリンタ部
２０９  フィニッシャ部
２１０  ディスプレイ部
【図１】
2005332938.tif 000003
【図２】
2005332938.tif 000004
【図３】
2005332938.tif 000005
【図４】
2005332938.tif 000006
【図５】
2005332938.tif 000007
【図６】
2005332938.tif 000008
【図７】
2005332938.tif 000009
【図８】
2005332938.tif 000010
【図９】
2005332938.tif 000011
【図１０】
2005332938.tif 000012
【図１１】
2005332938.tif 000013
【図１２】
2005332938.tif 000014
【図１７】
2005332938.tif 000015
【図１８】
2005332938.tif 000016
【図１９】
2005332938.tif 000017
【図１３】
2005332938.tif 000018
【図１４】
2005332938.tif 000019
【図１５】
2005332938.tif 000020
【図１６】
2005332938.tif 000021
【図２０】
2005332938.tif 000022